(57)【要約】【課題】多機能になっても，操作が容易な信号レベル測定装置を提供することを目的とする。【解決手段】信号レベル測定装置において，入力された受信信号の中から指定の高周波信号を選局するための選局装置と，選局した高周波信号を検波し，検波電圧を出力する検波器と，検波電圧を量子化するためのＡＤ変換器と，信号レベルを表示する表示装置と，外部から命令を与えるための操作部と，上記命令を処理するための制御装置と，測定した高周波信号の信号レベル及び測定条件を記憶する記憶装置と，入力端子に電源を供給する電源装置とを備えると共に，上記操作部は専用の命令を入力する１以上の専用入力装置と，メニューを用いて命令を選択するメニュー選択装置により構成されている。【選択図】　図１
2004048388.tif 000002
【特許請求の範囲】
【請求項１】
高周波信号の信号レベルを表示する信号レベル測定装置において，
入力端子に入力された受信信号の中から指定の高周波信号を選局するための選局装置と，
選局した高周波信号を検波し，検波電圧を出力する検波器と，
検波電圧を量子化するためのＡＤ変換器と，
信号レベルを表示する表示装置と，
外部から命令を与えるための操作部と，
上記命令を処理するための制御装置と，
測定した高周波信号の信号レベル及び測定条件を記憶する記憶装置と，
入力端子に電源を供給する電源装置とを備えると共に，
上記操作部は専用の命令を入力する１以上の専用入力装置と，
メニューを用いて命令を選択するメニュー選択装置により構成されている
ことを特徴とする信号レベル測定装置。
【請求項２】
上記専用入力装置は，高周波信号の変調方式の選択，
または，受信アンテナのコンバーターの局部発振周波数の選択，
または，測定した高周波信号の信号レベルを記憶装置に記憶するために，
少なくともいずれかの専用入力装置を設けた
ことを特徴とする請求項１に記載の信号レベル測定装置。
【請求項３】
上記専用入力装置は，現在測定している測定条件を前記記憶装置に記憶するため，
または，記憶された測定条件を呼び出すために設けた
ことを特徴とする請求項１乃至請求項２のいずれかに記載の信号レベル測定装置。
【発明の詳細な説明】
【０００１】
【発明の属する技術分野】
本発明は，主に高周波信号の信号レベルを測定する信号レベル測定装置に関し，詳しくは信号レベル測定装置の操作方法に関する。
【０００２】
【従来の技術】
従来の信号レベル測定装置は，衛星用と地上波用が個々に構成されていたため機能も少なく，操作性に問題はなかった。ところが近年では，衛星放送（通信も含む）・地上波放送両方の信号を受信する場合が多く，このような場合，衛星用と地上波用の信号レベル測定装置を持ち運ばなくてはならなかったし，更に信号レベルを測定する場合，信号入力ケーブルを接続しなおさなければならないなど操作性を悪くしていた。
そこで，現在では衛星用と地上波用を一体にすることで上記問題を回避していた。一体にすることにより多機能となってしまうが，その機能選択方法として一般的にファンクションキーが使用されている。ファンクションキーは，キーの近傍に各キーに対応した機能名が表示されるようになっており，使用者は表示される機能名を確認しながら順次，該当するキーを選択することで機能の実現が図られる。
【０００３】
【発明が解決しようとする課題】
しかし，従来の信号レベル測定装置によると，衛星用と地上波用を一体にしたことで多機能となり，使い勝手を悪くしていた。具体的には，機能選択，測定モードの選択，及び測定条件を設定するためにファンクションキーが使用されているため，変調方式を変更する場合や，受信アンテナのコンバーターの局部発振周波数を変更する場合，または測定したデータを記憶装置に記憶する場合，メニューの深い階層まで入らなければならず操作が煩雑になっていた。
また，よく使用する測定条件を設定する場合には，毎回設定を行う煩わしさがあった。
また，ファンクションキーは入力するキーの数が限定されているため，キーの数を超える機能がある場合，メニューのページを追加する必要があり，より操作が煩雑になってしまう。
更に，ファンクションキーはキーの近傍に機能名等を表示しなければならず，表示装置の有効な表示エリアが限られてしまうという問題があった。
【０００４】
こうした問題点を鑑み，本発明は多機能になっても操作が容易な信号レベル測定装置を提供することである。
その他の目的は，メニューのページ数が少なく，機能の選択が容易な信号レベル測定器を提供することである。
その他の目的は，広い表示エリアを確保できる信号レベル測定装置を提供することである。
その他の目的は，操作部の入力装置（入力キー）の数を少なくしても，使い勝手が良い信号レベル測定装置を提供することを目的とする。
その他の目的は，簡単に変調方式の変更や受信アンテナのコンバーターの局部発振周波数の変更，測定データの登録が可能な信号レベル測定装置を提供することである。
その他の目的は，よく使用する測定条件を容易に設定・呼出ができる信号レベル測定装置を提供することである。
【０００５】
【課題を解決するための手段】
上記課題を解決するために，請求項１の発明は高周波信号の信号レベルを表示する信号レベル測定装置において，
入力端子に入力された受信信号の中から指定の高周波信号を選局するための選局装置と，
選局した高周波信号を検波し，検波電圧を出力する検波器と，
検波電圧を量子化するためのＡＤ変換器と，
信号レベルを表示する表示装置と，
外部から命令を与えるための操作部と，
上記命令を処理するための制御装置と，
測定した高周波信号の信号レベル及び測定条件を記憶する記憶装置と，
入力端子に電源を供給する電源装置とを備えると共に，
上記操作部は専用の命令を入力する１以上の専用入力装置と，
メニューを用いて命令を選択するメニュー選択装置を備えるよう構成される。
【０００６】
請求項２の発明は，上記専用入力装置として，高周波信号の変調方式の選択，または，受信アンテナのコンバーターの局部発振周波数の選択，
または，測定した高周波信号の信号レベルを記憶装置に記憶するために，
少なくともいずれかの専用入力装置を備えるよう構成される。
【０００７】
請求項３の発明は，上記専用入力装置として，現在測定している測定条件を前記記憶装置に記憶するため，
または，記憶された測定条件を呼び出すために設けるよう構成される。
【０００８】
【発明の実施の形態】
以下に，本発明を具体化した実施形態の一例を，図面を基に詳細に説明する。
信号レベル測定装置１０は，衛星放送受信アンテナを設置する際，アンテナの方向調整に使用したり，ＣＡＴＶ伝送路を使って各端末端子まで高周波信号を伝送するＣＡＴＶシステムにおいて，各出力端子における出力レベルを測定するために使用される。
図１は，本発明に係る信号レベル測定装置の構成を示すブロック図であり，図２は操作部の説明である。
【０００９】
信号レベル測定装置１０には，上記高周波信号を入力するための入力端子１１を備えている。１２は電源装置で，偏波面選択信号入力端子１２ｅ，衛星切換信号入力端子１２ｆ，出力端子１２ｄを備えており，入力端子１１に接続された衛星放送受信アンテナ（詳しくはコンバーター）に動作用電源を供給するためのものであり，後述する制御装置により制御される。尚，１２ｂは電圧発生回路で，ＤＣ１１ＶまたはＤＣ１５Ｖを発生する。１２ｃはトーン発生回路で，本実施例では約４０ｋＨｚのトーン信号を発生している。１２ａは信号重畳回路で，１２ｂで発生したＤＣ電源に１２ｃのトーン信号を重畳して出力するための回路である。１３は電源フィルター，１４は入力端子１１に入力された高周波信号から指定の高周波信号を選局するための選局装置，１５は選局装置１４で選局された指定の高周波信号を検波して検波電圧を出力するための検波器であり，高周波信号の信号レベルに対応した直流電圧を出力する。１６は検波電圧をディジタル信号に変換するためのＡＤ変換器であり，高周波信号の信号レベルに対応したディジタル信号を出力する。１７は使用者が操作するための操作部である。１８は表示装置である。１９は記憶装置で，電源をＯＦＦしても記憶データが消去されないメモリを使用している。２０は制御装置で，周知のマイクロコンピュータ２０ａ，ＲＯＭ２０ｂ，ＲＡＭ２０ｃで構成されており，上記操作部１７からの命令を解読し，上記選局装置１４，電源装置１２，表示装置１８を制御し，当該表示装置に測定データ等を表示するように構成されている。尚，２０ｄはＰＬＬ分周数等の選局データ出力端子，２０ｅは偏波面選択信号出力端子，２０ｆは衛星切換信号出力端子，２０ｇは表示信号出力端子，２０ｈは測定レベル入力端子，２０ｉは操作部入力端子，２０ｊは外部記憶部入出力端子である。
【００１０】
次に，操作部１７について図２を用いて詳細に説明する。
図２に示す通り，操作部１７の表面には上記入力端子１１が突設されている。
また，入力装置３０，４０，５０が表示装置１８を包囲するように配置されている。３０はメニュー選択装置であり，メニューのカーソル位置を移動するための右移動ボタン３０ａ，左移動ボタン３０ｂ，上移動ボタン３０ｃ，下移動ボタン３０ｄと，一つ前の画面に戻るための戻るボタン３０ｅ，決定ボタン３０ｇ，メインメニューを表示するためのメニューボタン３０ｆにより構成されている。４０は現在測定している測定条件を上記記憶装置に記憶，または，上記記憶装置から呼び出すために使用する専用入力装置で，４０ａはよく使うボタンの測定条件の呼出（登録）ボタンであり，４０ｂは登録時に操作するシフトボタンである。
【００１１】
次に，５０は上記以外の専用入力装置で，５０ａは高周波信号の変調方式（ディジタル／アナログ）を切換えるための変調方式ボタンであり，５０ｂは入力端子に接続された衛星放送受信アンテナに設けられたコンバーターに動作電源電圧を供給するか否かを選択するための給電ボタンである。５０ｃは受信する電波の偏波に対応した電圧（ＤＣ１１Ｖ／１５Ｖ）を自動識別して出力するか，固定して出力するかを選択するための電圧ボタンである。５０ｄは衛星放送受信アンテナに設けられたコンバーターで使用している局部発振周波数を選択するための局部発振ボタン，５０ｅは測定データ（測定した高周波信号レベル）を上記記憶装置に記憶するためのデータ登録ボタンである。６０は電源ボタンである。
【００１２】
次に，操作部１７により衛星がＪＣＳＡＴ−４Ａで，チャンネルがＪ１１を選局されている場合の動作について説明する。
制御装置２０は，電圧発生回路１２ｂでＤＣ１１Ｖの電圧を発生させ，トーン発生回路１２ｃで４０ｋＨｚのトーン信号を発生させる。信号重畳回路１２ａで上記電圧発生回路１２ｂから出力されたＤＣ１１Ｖの電圧に，トーン発生回路から出力された４０ｋＨｚのトーン信号を重畳し，電源フィルター１３を介して，入力端子１１に接続される衛星放送受信アンテナ（詳しくはコンバーター）を動作させるための電源を供給する。衛星放送受信アンテナで受信した高周波信号は電源フィルター１３で電源成分をカットして選局装置１４に入力される。
また，制御装置２０は，選局されているチャンネル及び，局部発振周波数の設定に応じて，選局装置１４に選局信号（ＰＬＬ分周数等）を出力し，選局された指定チャンネルの高周波信号に対応した中間周波信号が出力される。検波器１５では，入力された信号を検波して検波電圧を出力し，ＡＤ変換器１６により信号レベルに対応したディジタル信号が出力される。制御装置２０では，そのディジタル信号を読み取って，表示装置１８に測定レベルとして表示する。表示する測定レベルは，相対レベルで表示してもよい。また，あらかじめ校正されたデータに基づいて絶対レベルに変換して表示してもよい。
【００１３】
次に，操作部１７により衛星がＪＣＳＡＴ−３で，チャンネルがＪ１２を選局されている場合について説明する。
制御装置２０は，電圧発生回路１２ｂでＤＣ１５Ｖの電圧を発生させ，トーン発生回路１２ｃは，動作させず，トーン信号は発生させない。従って，信号重畳回路１２ａからは，ＤＣ１５Ｖの電源電圧が，電源フィルター１３を介して，入力端子１１に接続される衛星放送受信アンテナを動作させるための電源として供給される。以下測定レベルが表示されるまでの動作は，上記ＪＣＳＡＴ−４ＡでＪＤ１１が選局されているときと同様の動作なので省略する。
【００１４】
次に，操作部１７により測定データを登録する場合について説明する。
制御装置２０は，操作部１７より測定データ登録の命令を受け，記憶装置１９に，測定条件（衛星名，チャンネル番号等）及び測定レベル値を記憶させる。
【００１５】
次に，メニュー選択装置及び専用入力装置の操作方法について，図３乃至図６のメニュー遷移図を基に詳しく説明する。
まず，衛星信号レベルを測定する場合について述べる。
信号レベルを測定したいテレビ端子（または端末端子，伝送機器や受信機器の出力端子や出力測定端子）と入力端子１１を同軸ケーブルで接続し，電源ボタン６０を操作すると，図３に示す通りメインメニューＳ１００を表示装置１８に表示する。そこで，カーソル移動ボタン３０ｃ（上移動），３０ｄ（下移動）を操作（Ｐ１００）して「ＢＳ・ＣＳ測定」を選択し，決定ボタン３０ｇを操作するとＢＳ・ＣＳ測定画面Ｓ２００の表示に変わる。この状態で専用入力装置が有効となる。ＢＳ・ＣＳ測定画面Ｓ２００表示中にカーソル移動ボタン３０ｃ（上移動），３０ｄ（下移動）を操作（Ｐ２００）すると，測定対象となる衛星名（ＢＳ，Ｎ−ＳＡＴ，ＪＣＳＡＴ−３，ＪＣＳＡＴ−４Ａ，…）を順次，切換えられるようになっている。
【００１６】
また，カーソル移動ボタン３０ａ（右移動），３０ｂ（左移動）を操作（Ｐ２１０）すると，受信チャンネル（１，２，３，…，または，Ｊ１，Ｊ２，Ｊ３，…）を順次，切換えられるようになっている。
また，局部発振ボタン５０ｄを操作（Ｐ２２０）すると，コンバーターの局部発振周波数（１０．６７８ＧＨｚ，１１．２ＧＨｚ，１１．３ＧＨｚ等）を順次，切換えられるようになっている。
また，給電ボタン５０ｂ，電圧ボタン５０ｃを操作（Ｐ２４０，Ｐ２３０）すると，入力端子１１にテレビ端子や各伝送機器（分岐器，分配器，分波器，混合器，増幅器，減衰器など）を介して接続されている衛星受信アンテナに設けられているコンバーターに動作電源及び偏波面選択信号（ＤＣ１１Ｖ／１５Ｖ）及び，衛星識別信号（３５ｋＨｚ〜５５ｋＨｚ）を送出したり，送出を停止したりできるようになっている。
また，電圧ボタン５０ｃはオートに設定することもでき，オートに設定することにより上記の衛星名及び受信チャンネルに対応した偏波面選択信号が自動で送出できるようになっている。
また，データ登録ボタン５０ｅ（Ｐ２５０）を操作すると，現在表示している測定データを上記記憶装置１９に記憶する。
また，よく使うボタン４０ａを操作（Ｐ２７０）すると，記憶装置に記憶されている測定条件を呼出し，制御装置２０が選局装置１４，電源装置１２，表示装置１８を制御して，上記呼出した測定条件の測定画面になる。
また，シフトボタン４０ｂを操作しながら，よく使うボタン４０ａ（Ｐ２６０）を操作すると，現在の測定条件を上記記憶装置１９に記憶できるようになっている。
【００１７】
次に，地上波ＴＶ信号及びＣＡＴＶ伝送信号の信号レベルを測定する場合について述べる。
信号レベルを測定したいテレビ端子と入力端子１１を同軸ケーブルで接続し，電源ボタン６０を操作すると，図４に示す通りメインメニューＳ１００を表示装置１８に表示する。そこで，カーソル移動ボタン３０ｃ（上移動），３０ｄ（下移動）を操作（Ｐ１００）して「ＶＵ・ＣＡＴＶ測定」を選択し，決定ボタン３０ｇを操作するとＶＵ・ＣＡＴＶ測定画面Ｓ２１０の表示に変わる。この状態で専用入力装置が有効となる。ＶＵ・ＣＡＴＶ測定画面Ｓ２１０表示中にカーソル移動ボタン３０ｃ（上移動），３０ｄ（下移動）を操作（Ｐ２８０）すると，測定対象となるバンド名（ＶＨＦ，ＵＨＦ，ＣＡＴＶ，ＰＩＬＯＴ，…）を順次，切換えられるようになっている。
また，カーソル移動ボタン３０ａ（右移動），３０ｂ（左移動）を操作（Ｐ２１０）すると，受信チャンネル（１，２，３，…，または，Ｃ１３，Ｃ１４，Ｃ１５，…などバンドに対応したチャンネル）を順次，切換えられるようになっている。
また，変調方式ボタン５０ａを操作（Ｐ２９０）すると，変調方式（ＮＴＳＣの映像搬送波レベル，ＮＴＳＣの音声搬送波レベル，ＯＦＤＭ，６４ＱＡＭ，ＰＳＫ，…）を順次，切換えられるようになっている。
ここで，データ登録ボタン５０ｅ及びよく使うボタン４０ａ，シフトボタン４０ｂによるデータ登録，測定条件の登録・呼出は，既に説明した衛星信号レベルを測定する場合と同一であるため，詳細な説明は省略する。
また，局部発振ボタン５０ｄ，給電ボタン５０ｂ，電圧ボタン５０ｃについては，地上波ＴＶ信号及びＣＡＴＶ伝送信号の信号レベル測定に使用しないので，機能を禁止している。
【００１８】
次に，衛星信号レベル測定，地上波ＴＶ信号レベル測定，ならびに，ＣＡＴＶ伝送信号レベル測定の際，登録した測定データを呼出す場合について述べる。
電源ボタン６０を操作すると，図５に示す通りメインメニューＳ１００を表示装置１８に表示する。そこで，カーソル移動ボタン３０ｃ（上移動），３０ｄ（下移動）を操作（Ｐ１００）して「特別モード」を選択し，決定ボタン３０ｇを操作すると特別モード画面Ｓ２２０の表示に変わる。この画面で更に，カーソル移動ボタン３０ｃ（上移動），３０ｄ（下移動）を操作（Ｐ１１０）して「データ呼出」を選択し，決定ボタン３０ｇを操作するとデータ呼出画面Ｓ２３０の表示に変わり，登録されている最も新しい測定データを表示装置１８に表示する。ここで，カーソル移動ボタン３０ｃ（上移動），３０ｄ（下移動）を操作（Ｐ３００）すると，記憶されている古い測定データを順次，呼出して表示することができるようになっている。
【００１９】
次に，衛星放送受信アンテナを設置し，アンテナの方向を調整する場合について述べる。
衛星放送受信アンテナ（詳しくはコンバーター）の出力端子と入力端子１１を同軸ケーブルで接続し，電源ボタン６０を操作すると，図６に示す通りメインメニューＳ１００を表示装置１８に表示する。そこで，カーソル移動ボタン３０ｃ（上移動），３０ｄ（下移動）を操作（Ｐ１００）して「アンテナ調整」を選択し，決定ボタン３０ｇを操作するとアンテナ調整画面Ｓ２４０の表示に変わる。この状態で専用入力装置が有効となる。アンテナ調整画面Ｓ２４０表示中にカーソル移動ボタン３０ｃ（上移動），３０ｄ（下移動）を操作（Ｐ２００）して，受信したい衛星名（ＪＣＳＡＴ−３／４Ａ，ＢＳ）を選択する。そして，カーソル移動ボタン３０ａ（右移動），３０ｂ（左移動）を操作（Ｐ２１０）して，受信チャンネル（１，３，１３，１５，…，または，Ｊ１，Ｊ２，Ｊ３，…）を選択する。
また，局部発振ボタン５０ｄを操作（Ｐ２２０）して，接続した衛星放送受信アンテナのコンバーターの局部発振周波数と一致する周波数を選択する。
また，給電ボタン５０ｂを操作（Ｐ２４０）した後，電圧ボタン５０ｃを操作（Ｐ２３０）して「オート」に設定後，受信アンテナを動作状態にする。そして，表示画面に表示している信号レベルの値が最大になるようにアンテナの方位角，仰角，コンバーターの傾き角（ＢＳの場合は必要ない）を調整し，固定する。このとき，指定した衛星名と受信した衛星が一致した場合のみ，衛星識別マークＭを表示するようになっており，アンテナが指定した衛星以外の信号を受信するような作業ミスを防止できる。
ここで，測定データ登録及び測定条件の登録／呼出機能については，既に説明した衛星信号レベルを測定する場合と同一であるため，詳細な説明は省略する。
【００２０】
尚，本発明は上記実施の形態に限定されるものではなく，以下に例示するように本発明の趣旨を逸脱しない範囲で各部適宜変更して実施することも可能である。
例えば，本実施例ではメニュー選択装置として，カーソル移動ボタンと決定ボタン，メニューボタンで構成したが，それ以外に進むボタン等を設けても良いし，戻るボタンを削除しても良い。
また，専用入力装置の数も限定されるものではなく，多くても少なくても良い。
また，本実施例ではメニュー選択装置にカーソル位置の移動ボタンと決定ボタンをそれぞれ別体で設けた説明をしたが，一体的に形成しても良い。また，カーソル位置の移動ボタンは上下左右の４方向として説明したが，これに限定されるものではなくこれより多くても少なくても良い。
また，メニューを画面全体に表示する方法として説明したが，この方法に限定されるものではなく，プルダウン方式のメニューであっても良いし，それ以外の表示方法であっても良い。
【００２１】
【発明の効果】
以上詳述したように，請求項１の発明によれば，高周波信号の信号レベルを表示する信号レベル測定装置において，
入力端子に入力された受信信号の中から指定の高周波信号を選局するための選局装置と，
選局した高周波信号を検波し，検波電圧を出力する検波器と，
検波電圧を量子化するためのＡＤ変換器と，
信号レベルを表示する表示装置と，
外部から命令を与えるための操作部と，
上記命令を処理するための制御装置と，
測定した高周波信号の信号レベル及び測定条件を記憶する記憶装置と，
入力端子に電源を供給する電源装置とを備えると共に，
上記操作部は専用の命令を入力する１以上の専用入力装置と，
メニューを用いて命令を選択するメニュー選択装置により構成されているので，多機能になっても操作が容易で，且つ，メニューのページ数が少なく，機能の選択が容易で，広い表示エリアを確保でき，操作部の入力装置（入力キー）の数を少なくしても使い勝手が良い信号レベル測定装置を提供することができる。
【００２２】
請求項２の発明によれば，上記専用入力装置として，高周波信号の変調方式の選択，
または，受信アンテナのコンバーターの局部発振周波数の選択，
または，測定した高周波信号の信号レベルを記憶装置に記憶するために，
少なくともいずれかの専用入力装置を設けられているので，
簡単に変調方式の変更や受信アンテナのコンバーターの局部発振周波数の変更，測定データの登録が可能な信号レベル測定装置を提供することができる。
【００２３】
請求項３の発明によれば，上記専用入力装置は，現在測定している測定条件を前記記憶装置に記憶するため，
または，記憶された測定条件を呼び出すために設けられているので，
よく使用する測定条件を容易に設定・呼出ができる信号レベル測定装置を提供することができる。
【図面の簡単な説明】
【図１】実施形態の信号レベル測定装置の構成を示すブロック図である。
【図２】操作部の説明図である。
【図３】衛星放送受信信号の信号レベル測定時の画面遷移図である。
【図４】地上波ＴＶ信号・ＣＡＴＶ伝送信号の信号レベル測定時の画面遷移図である。
【図５】測定データ呼出し時の画面遷移図である。
【図６】衛星受信アンテナの方向調整時の画面遷移図である。
【符号の説明】
１０…信号レベル測定装置，１１…入力端子，１２…電源装置，１３…電源フィルター，１４…選局装置，１５…検波器，１６…ＡＤ変換器，１７…操作部，１８…表示装置，１９…記憶装置，２０…制御装置，３０…メニュー選択装置，４０…専用入力装置，５０…専用入力装置，６０…電源ボタン
【図１】
2004048388.tif 000003
【図２】
2004048388.tif 000004
【図３】
2004048388.tif 000005
【図４】
2004048388.tif 000006
【図５】
2004048388.tif 000007
【図６】
2004048388.tif 000008